(57)【特許請求の範囲】
【請求項１】
車両のシートの車幅方向中央部側に設けられたアームレストと、飲料容器を保持する容器ホルダと、を備えた車両用飲料容器ホルダであって、
前記アームレストおよび前記容器ホルダの一方または両方を前後方向のみに移動させる移動機構を備え、
前記アームレストには、前記移動機構によって前記アームレストに対して前後方向に移動する、前記飲料容器を保持した前記容器ホルダを収容可能なホルダ収容部が設けられ、
前記ホルダ収容部の上部には、前記容器ホルダに保持された飲料容器としてのカップの上面開口を開閉する蓋が設けられている
ことを特徴とする車両用飲料容器ホルダ。
【請求項２】
前記容器ホルダは、複数のカップを保持可能であり、
前記ホルダ収容部には、前記容器ホルダに保持されるカップ毎に前記蓋が設けられている
ことを特徴とする請求項１に記載の車両用飲料容器ホルダ。
【請求項３】
前記アームレストおよび前記容器ホルダの一方または両方を、前記ホルダ収容部に前記容器ホルダを収容する方向と反対方向に付勢する付勢手段と、
前記アームレストおよび前記容器ホルダの一方または両方を、前記付勢手段の付勢力に抗して前記ホルダ収容部に前記容器ホルダを収容する方向に移動させ、前記容器ホルダが前記ホルダ収容部の所定位置まで移動すると、前記ホルダ収容部に前記容器ホルダを収容する方向と反対方向への移動を規制するロック機構と、を備えた
ことを特徴とする請求項１又は２に記載の車両用飲料容器ホルダ。
【請求項４】
前記ロック機構によって、前記アームレストおよび前記容器ホルダの一方または両方の前記ホルダ収容部に前記容器ホルダを収容する方向と反対方向への移動が規制されている状態において、前記ホルダ収容部に前記容器ホルダを収容する方向へさらに移動させると、前記ロック機構による前記ホルダ収容部に前記容器ホルダを収容する方向と反対方向への移動の規制を解除するロック解除機構を備えた
ことを特徴とする請求項３に記載の車両用飲料容器ホルダ。
【請求項５】
前記アームレストおよび前記容器ホルダの一方または両方を、前記ホルダ収容部に
前記容器ホルダを収容する方向に付勢する付勢手段と、
前記アームレストおよび前記容器ホルダの一方または両方を、前記付勢手段の付勢力に抗して前記ホルダ収容部に前記容器ホルダを収容する方向と反対方向に移動させ、前記容器ホルダが前記ホルダ収容部外の所定位置まで移動すると、前記ホルダ収容部に前記容器ホルダを収容する方向への移動を規制するロック機構と、を備えた
ことを特徴とする請求項１又は２のいずれかに記載の車両用飲料容器ホルダ。
【請求項６】
前記ロック機構によって、前記アームレストおよび前記容器ホルダの一方または両方の前記ホルダ収容部に前記容器ホルダを収容する方向への移動が規制されている状態において、前記ホルダ収容部に前記容器ホルダを収容する方向と反対方向へさらに移動させると、前記ロック機構による前記ホルダ収容部に前記容器ホルダを収容する方向への移動の規制を解除するロック解除機構を備えた
ことを特徴とする請求項５に記載の車両用飲料容器ホルダ。
【請求項７】
前記蓋は、前記ホルダ収容部に支持された本体部と、前記本体部に対して着脱自在に設けられ、前記カップの上面に接触する接触部と、を有している
ことを特徴とする請求項１乃至６のいずれかに記載の車両用飲料容器ホルダ。
【発明の詳細な説明】
【技術分野】
【０００１】
本発明は、車両の車室内において用いられる車両用飲料容器ホルダに関するものである。
【背景技術】
【０００２】
従来、この種の車両用飲料容器ホルダとしては、車両の運転席と助手席との間にコンソールボックスを設け、そのコンソールボックスの所定位置に飲料容器を保持するための容器ホルダを設けたものが知られている（例えば、特許文献１参照）。
【先行技術文献】
【特許文献】
【０００３】
【特許文献１】特開２００５−２３１５２０号公報
【発明の概要】
【発明が解決しようとする課題】
【０００４】
前記車両用飲料容器ホルダでは、変速機を操作するためのシフトレバーの後方に容器ホルダが配置されている場合がある。この場合、容器ホルダに高さ寸法の大きい飲料容器を保持させると、乗員がシフトレバーの操作を行う際に腕が飲料容器に接触する可能性があり、乗員の車両の操作の妨げとなるおそれがある。
【０００５】
本発明の目的とするところは、容器ホルダに保持した飲料容器によって乗員の車両の操作の妨げとなることを防止することのできる車両用飲料容器ホルダを提供することにある。
【課題を解決するための手段】
【０００６】
本発明は、前記目的を達成するために、車両のシートの車幅方向中央部側に設けられたアームレストと、飲料容器を保持する容器ホルダと、を備えた車両用飲料容器ホルダであって、前記アームレストおよび前記容器ホルダの一方または両方を前後方向のみに移動させる移動機構を備え、前記アームレストには、前記移動機構によってアームレストに対して前後方向に移動する、前記飲料容器を保持した前記容器ホルダを収容可能なホルダ収容部が設けられ、前記ホルダ収容部の上部には、前記容器ホルダに保持された飲料容器としてのカップの上面開口を開閉する蓋が設けられている。
【０００７】
これにより、移動機構によってホルダ収容部に容器ホルダが収納されることから、容器ホルダに保持された飲料容器がホルダ収容部に収納可能となる。
【０００８】
また、請求項２に記載の発明は、前記容器ホルダが、複数のカップを保持可能であり、前記ホルダ収容部に、容器ホルダに保持されるカップ毎に前記蓋が設けられていることを特徴とする。
また、請求項３に記載の発明は、前記アームレストおよび前記容器ホルダの一方または両方を、前記ホルダ収容部に前記容器ホルダを収容する方向と反対方向に付勢する付勢手段と、前記アームレストおよび前記容器ホルダの一方または両方を、前記付勢手段の付勢力に抗して前記ホルダ収納部に前記容器ホルダを収納する方向に移動させ、前記容器ホルダが前記ホルダ収容部の所定位置まで移動すると、前記ホルダ収容部に前記容器ホルダを収容する方向と反対方向への移動を規制するロック機構と、を備えたことを特徴とする。
また、請求項４に記載の発明は、前記ロック機構によって、前記アームレストおよび前記容器ホルダの一方または両方の前記ホルダ収容部に前記容器ホルダを収容する方向と反対方向への移動が規制されている状態において、前記ホルダ収容部に前記容器ホルダを収容する方向へさらに移動させると、ロック機構による前記ホルダ収容部に前記容器ホルダを収容する方向と反対方向への移動の規制を解除するロック解除機構を備えたことを特徴とする。
また、請求項５に記載の発明は、前記アームレストおよび前記容器ホルダの一方または両方を、前記ホルダ収容部に前記容器ホルダを収容する方向に付勢する付勢手段と、前記アームレストおよび前記容器ホルダの一方または両方を、前記付勢手段の付勢力に抗して前記ホルダ収納部に前記容器ホルダを収納する方向と反対方向に移動させ、前記容器ホルダが前記ホルダ収容部外の所定位置まで移動すると、前記ホルダ収容部に前記容器ホルダを収容する方向への移動を規制するロック機構と、を備えたことを特徴とする。
また、請求項６に記載の発明は、前記ロック機構によって、前記アームレストおよび前記容器ホルダの一方または両方の前記ホルダ収容部に前記容器ホルダを収容する方向への移動が規制されている状態において、前記ホルダ収容部に前記容器ホルダを収容する方向と反対方向へさらに移動させると、ロック機構による前記ホルダ収容部に前記容器ホルダを収容する方向への移動の規制を解除するロック解除機構を備えたことを特徴とする。
また、請求項７に記載の発明は、前記蓋が、前記ホルダ収容部に支持された本体部と、前記本体部に対して着脱自在に設けられ、前記カップの上面に接触する接触部と、を有していることを特徴とする。
【発明の効果】
【０００９】
本発明によれば、容器ホルダに保持された飲料容器をホルダ収容部に収納することが可能となるので、容器ホルダに保持された飲料容器が乗員の車両の操作の妨げとなることはなく、車両の走行時の安全性を向上させることが可能となる。
【図面の簡単な説明】
【００１０】
【図１】本発明の一実施形態の車両用飲料容器ホルダを示す概略図である。
【図２】車両用飲料容器ホルダの動作説明図である。
【図３】車両用飲料容器ホルダの動作説明図である。
【図４】車両用飲料容器ホルダの動作説明図である。
【図５】本発明の他の車両用飲料容器ホルダを示す概略図である。
【図６】本発明の他の車両用飲料容器ホルダを示す概略図である。
【図７】本発明の他の車両用飲料容器ホルダを示す概略図である。
【図８】本発明の他の車両用飲料容器ホルダを示す概略図である。
【図９】本発明の他の車両用飲料容器ホルダを示す概略図である。
【図１０】本発明の他の車両用飲料容器ホルダを示す概略図である。
【図１１】本発明の他の車両用飲料容器ホルダを示す概略図である。
【図１２】本発明の他の車両用飲料容器ホルダを示す概略図である。
【発明を実施するための形態】
【００１１】
図１乃至図４は、本発明の一実施形態を示すものである。
【００１２】
本発明の車両用飲料容器ホルダは、車両の運転席と助手席との間において、変速機を操作するためのシフトレバー１の後方に設けられている。この車両用飲料容器ホルダは、上面が開口されたカップＡを保持可能な容器ホルダ１０と、内部に容器ホルダ１０を収容可能なアームレスト２０と、を備えている。
【００１３】
容器ホルダ１０は、シフトレバー１の後方に設けられ、カップＡの下端側を受容可能な凹状に形成されている。容器ホルダ１０に保持されるカップＡは、上面が開口された例えば紙製や合成樹脂製の容器であり、内部に飲料や氷が入れられる。
【００１４】
アームレスト２０は、前後方向に移動可能に設けられたアームレスト本体３０と、乗員の肘が置かれる肘受け部４０と、からなる。
【００１５】
アームレスト本体３０は、前面側が開口されており、内部に容器ホルダ１０を収容するためのホルダ収容部３０ａが設けられている。アームレスト本体３０は、アームレスト本体３０を容器ホルダ１０に対して前後方向に移動させるためのアームレスト移動機構３１と、容器ホルダ１０に保持されたカップＡの上面開口を閉鎖する蓋３２の開閉動作を行うための蓋開閉機構３３と、を備えている。
【００１６】
アームレスト移動機構３１は、アームレスト本体３０の下部の左右両側を前後方向に延びる左右一対のレール３１ａを有し、容器ホルダ１０に対してアームレスト２０が所定範囲内を前後方向に移動自在に構成されている。また、アームレスト移動機構３１は、アームレスト本体３０の後側と車両本体側の部材との間に設けられた付勢手段としての引張ばね３１ｂを有し、引張ばね３１ｂによってアームレスト２０が容器ホルダ１０から離れる方向（後方）に付勢される。さらに、アームレスト移動機構３１は、引張ばね３１ｂの付勢力に抗してアームレスト２０を前方に移動させた場合に、アームレスト２０の前後方向の移動範囲の前端側でアームレスト２０をロックするためのアームレストロック機構３１ｃを有している。アームレストロック機構３１ｃは、車両側に揺動自在に設けられ、端部がフック形状の係止部材３１ｄと、アームレスト本体３０側に設けられ、係止部材３１ｄが係脱自在に係合する係合部３１ｅと、車両側に揺動自在に設けられ、アームレスト２０の移動によって係止部材３１ｄと係合部３１ｅとの係合を解除するためのロック解除機構を構成する係合解除部材３１ｆを有している。アームレストロック機構３１ｃは、係止部材３１ｄと係合部３１ｅとが係合している状態でアームレスト２０をさらに前方に移動させることで、係合部３１ｅによって係合解除部材３１ｆを揺動させ、揺動する係合解除部材３１ｆによって係止部材３１ｄと係合部３１ｅとの係合を解除する。
【００１７】
蓋３２は、容器ホルダ１０に保持されるカップＡの上面開口の径よりも大きく形成された円板状の部材からなり、カップＡの上面開口を完全に覆うことが可能である。蓋３２は、蓋開閉機構３３に連結された本体３２ａと、本体３２ａに対して着脱自在に設けられ、カップＡの上面に接触する接触部３２ｂと、から構成されている。
【００１８】
蓋開閉機構３３は、ホルダ収容部３０ａ内において蓋３２を上下方向に移動自在としている。蓋開閉機構３３は、蓋３２の上面とホルダ収容部３０ａの天井面との間に設けられた圧縮ばね３３ａを有し、圧縮ばね３３ａによって蓋３２が下方に付勢される。蓋開閉機構３３は、アームレスト２０の前方への移動によって圧縮ばね３３ａの付勢力に抗して蓋３２を上方に移動させるための蓋解放機構３３ｂを有している。蓋解放機構３３ｂは、ワイヤ状部材によって車両側の部材と蓋３２とを連結すると共にワイヤ状部材をローラで案内することによって、アームレスト２０の後方への移動によって蓋３２を上方に移動させるものである。また、蓋開閉機構３３は、蓋解放機構３３ｂによって上方に移動させた蓋３２をロックするための蓋ロック部材３３ｃを有している。蓋ロック部材３３ｃは、上下方向に延びる部材からなり、上端側が回転自在に支持されている。蓋ロック部材３３ｃは、蓋３２の上方への移動によって蓋３２と係合する係合部３３ｄを有している。蓋ロック部材３３ｃは、アームレスト２０が前方に移動すると、下端側が容器ホルダ１０に接触して後方に移動し、係合部３３ｄの蓋３２との係合状態が解除される。さらに、蓋開閉機構３３には、蓋３２の上面とホルダ収容部３０ａの天井面との間に設けられ、カップＡの開口を閉鎖する蓋３２の動作速度を低下させるためのダンパー３３ｅが設けられている。
【００１９】
肘受け部４０は、アームレスト本体３０の上面に設けられ、発泡ウレタン等のクッション材をシート材によって覆うことにより構成されている。
【００２０】
以上のように構成された車両用飲料容器ホルダにおいて、容器ホルダ１０の後方にアームレスト２０が位置する状態において、容器ホルダ１０に保持されたカップＡの開口を蓋３２で閉鎖する動作を説明する。
【００２１】
まず、図２に示すように、容器ホルダ１０にカップＡを保持させた状態で、乗員が手で引張ばね３１ｂの付勢力に抗してアームレスト２０を前方に移動させる。このとき、蓋解放機構３３ｂは蓋３２を下降させる方向に作用するが、蓋ロック部材３３ｄによって蓋３２がロックされているため、ホルダ収容部３０ａにおいて蓋３２が下方に移動することはない。
【００２２】
アームレスト２０を前端側まで移動させると、図３に示すように、ホルダ収容部３０ａに容器ホルダ１０が収容された状態となる。このとき、アームレスト２０は、車両側の係止部材３１ｄとアームレスト本体３０側の係合部３１ｅとの係合によって、前端側にロックされる。また、蓋ロック部材３３ｃは、下端側が容器ホルダ１０に接触して後方に回転して係合部３３ｄと蓋３２との係合状態が解除され、蓋３２が圧縮ばね３３ａの付勢力によって下方に移動する。下方に移動する蓋３２には、ダンパー３３ｅの減衰力が作用することから、蓋３２が急激に移動することはなく、所定以下の速度で移動する。
【００２３】
これにより、容器ホルダ１０に保持されたカップＡは、図４に示すように、アームレスト２０のホルダ収容部３０ａ内に収容されるとともに、開口が蓋３２によって閉鎖される。カップＡは、開口が蓋３２によって閉鎖されるため、車両の振動によってカップＡ内の飲料がカップＡ外に飛散することはない。
【００２４】
また、図４に示すように、アームレスト２０のホルダ収容部３０ａ内にカップＡが収容されている状態において、カップＡを取り出す場合には、アームレスト２０をさらに前方に移動させる。これにより、係合部３１ｅが係合解除部材３１ｆに接触して係止部材３１ｄを下方に回転させ、係止部材３１ｄと係合部３１ｅとの係合が解除される。その後、アームレスト２０は、引張ばね３１ｂの付勢力によって後方に移動する。また、アームレスト２０が後方に移動すると、アームレスト２０の後方への移動と連動する蓋解放機構３３ｂによって蓋３２が上方に移動し、蓋３２が蓋ロック部材３３ｃの係合部３３ｄと係合してホルダ収容部３０ａ内の上部に蓋３２が保持される。
【００２５】
このように、本実施形態の車両用飲料容器ホルダによれば、アームレスト２０を前後方向に移動させるアームレスト移動機構３１を備え、アームレスト２０には、アームレスト移動機構３１によってアームレスト２０に対して後方に移動する容器ホルダ１０を収容可能なホルダ収容部３０ａが設けられている。これにより、容器ホルダ１０に保持されたカップＡをホルダ収容部３０ａに収納することが可能となるので、容器ホルダ１０に保持されたカップＡが乗員の車両の操作の妨げとなることはなく、車両の走行時の安全性を向上させることが可能となる。
【００２６】
また、ホルダ収容部３０ａの上面には、容器ホルダ１０に保持されたカップＡの上面開口を開閉する蓋３２が設けられている。これにより、車両の走行時の振動によってカップＡからカップＡの外側に飲料が飛散することを防止することができるので、車両の内部の衛生状態を良好に保つことができる。
【００２７】
また、アームレスト２０を後方に付勢するための引張ばね３１ｂと、引張ばね３１ｂの付勢力に抗してアームレスト２０を前方に移動させ、アームレスト２０が所定位置まで移動すると、アームレスト２０の移動を規制するアームレストロック機構３１ｃと、を備えている。これにより、アームレスト２０を前方に移動させる動作のみで容器ホルダ１０に保持されたカップＡをホルダ収容部３０ａに収容することができるので、カップＡをホルダ収容部３０ａに収容する動作を容易に行うことが可能となる。
【００２８】
また、アームレストロック機構３１ｃによってアームレスト２０が前端側でロックされている状態からさらに前方に移動させることにより、揺動する係合解除部材３１ｆによって係止部材３１ｄと係合部３１ｅとの係合を解除するようにしている。これにより、アームレスト２０を前方に移動させる動作のみでアームレスト２０のロック状態を解除することができるので、カップＡをホルダ収容部３０ａから露出する動作を容易に行うことが可能となる。
【００２９】
また、蓋３２は、蓋開閉機構３３に連結された本体３２ａと、本体３２ａに対して着脱自在に設けられ、カップＡの上面に接触する接触部３２ｂと、から構成されている。これにより、接触部３２ｂをカップＡのサイズに応じて交換することによって蓋３２で閉鎖可能なカップＡの種類が多くなり、蓋３２を洗浄するために取り外すことで、衛生状態を良好に保持することが可能である。
【００３０】
尚、前記実施形態では、ホルダ収容部３０ａにおいて、蓋３２を上下方向に移動させることによって蓋３２の開閉動作を行うための蓋開閉機構３３を備えたものを示したが、これに限られるものではない。
例えば、図５および図６に示すように、ホルダ収容部３０ａにおいて、容器ホルダ１０を上下方向に移動させることによって蓋３２の開閉動作を行うための蓋開閉機構１１を備えるようにしても、前記実施形態と同様の効果を得ることが可能となる。
【００３１】
また、前記実施形態では、アームレスト２０を前後方向に移動させることによってホルダ収容部３０ａに容器ホルダ１０を収容するためのアームレスト移動機構３１を備えたものを示したが、これに限られるものではない。
例えば、図７および図８に示すように、容器ホルダ１０を前後方向に移動させることによってホルダ収容部３０ａに容器ホルダ１０を収容するためのホルダ移動機構１２を備えるようにしても、前記実施形態と同様の効果を得ることが可能となる。
また、容器ホルダ１０およびアームレスト２０の一方を移動させることによってホルダ収容部３０ａに容器ホルダ１０を収容するものに限られず、容器ホルダ１０およびアームレスト２０のそれぞれを移動させて、ホルダ収容部３０ａに容器ホルダ１０を収容するようにしても、前記実施形態と同様の効果を得ることが可能となる。
【００３２】
また、図９および図１０に示すように、ホルダ収容部３０ａにおいて、容器ホルダ１０を上下方向に移動させることによって蓋３２の開閉動作を行うための蓋開閉機構１１と、容器ホルダ１０を前後方向に移動させることによってホルダ収容部３０ａに容器ホルダ１０を収容するためのホルダ移動機構１２と、を備えるようにしても前記実施形態と同様の効果を得ることが可能となる。
【００３３】
また、前記実施形態では、乗員の手でアームレスト２０を操作することで、アームレスト移動機構３１および蓋開閉機構３３を動作させるようにしたものを示したが、乗員のスイッチ等の操作部の操作によって作動する電動モータによって、アームレスト２０の前後方向の動作や蓋３２の上下方向の動作を行うようにしてもよい。
【００３４】
また、前記実施形態では、１つのカップＡを保持する容器ホルダ１０を備え、その容器ホルダ１０に保持したカップＡの上面開口を開閉する蓋３２を備えたものを示したが、例えば、図１１および図１２に示すように、複数のカップＡを保持可能な容器ホルダ１３を備え、その容器ホルダ１３に保持した複数のカップＡのそれぞれの上面開口を開閉する複数の蓋３２を備えるようにしてもよい。この場合、各カップＡに対してそれぞれ別の蓋３２が対応するため、容器ホルダ１３に保持するカップＡの種類に応じて蓋３２を取り替えることで多種類のカップＡに対応可能となり、個別に洗浄することができるので、洗浄する作業が容易となる。
【００３５】
また、前記実施形態では、容器ホルダ１０にカップＡを保持するようにしたものを示したが、容器ホルダ１０に飲料缶を保持するようにしても前記実施形態と同様の効果を得ることが可能となる。また、容器ホルダ１０に瓶やペットボトル等のキャップ付きの飲料容器を保持した場合には、蓋３２によって飲料容器の上部が保持されることから、飲料容器を安定して保持することが可能となる。
【００３６】
また、前記実施形態では、引張ばね３１ｂによってアームレスト２０を容器ホルダ１０から離れる方向（後方）に付勢し、引張ばね３１ｂの付勢力に抗してアームレスト２０を前方に移動させてホルダ収容部３０ａに容器ホルダ１０を収容するものを示したが、これに限られるものではない。例えば、引張ばねによってアームレスト２０を容器ホルダ１０側の方向（前方）に付勢し、引張ばねの付勢力に抗してアームレスト２０を後方に移動させてホルダ収容部３０ａに収容された容器ホルダ１０をホルダ収容部３０ａ外に位置させるようにしても前記実施形態と同様の効果を得ることが可能となる。
【符号の説明】
【００３７】
１０…容器ホルダ、１１…蓋開閉機構、１２…ホルダ移動機構、１３…容器ホルダ、２０…アームレスト、３０…アームレスト本体、３０ａ…ホルダ収容部、３１…アームレスト移動機構、３１ａ…レール、３１ｂ…引張ばね、３１ｃ…アームレストロック機構、３１ｄ…係止部材、３１ｅ…係合部、３１ｆ…係合解除部材、３２…蓋、３３…蓋開閉機構。
【図１】
0005707196.tif 000002
【図２】
0005707196.tif 000003
【図３】
0005707196.tif 000004
【図４】
0005707196.tif 000005
【図５】
0005707196.tif 000006
【図６】
0005707196.tif 000007
【図７】
0005707196.tif 000008
【図８】
0005707196.tif 000009
【図９】
0005707196.tif 000010
【図１０】
0005707196.tif 000011
【図１１】
0005707196.tif 000012
【図１２】
0005707196.tif 000013